(57)【特許請求の範囲】
【請求項１】
光源からの光により画像形成素子を照明して画像を被投射面に投射するプロジェクタ装置であって、
前記光源及び前記画像形成素子が収納された装置筐体と、
前記装置筐体に設けられると共に空気を取り入れる吸気口を有するエアフィルタ収納部と、
前記吸気口の開口面積と同程度の広さを有すると共に前記エアフィルタ収納部内に重なり合うように対向設置された複数のエアフィルタと、
周囲の空気を吸引することにより前記吸気口から空気を流入させると共に当該空気を前記複数のエアフィルタに通過させた後前記光源や前記画像形成素子に吹き付けて放熱させる冷却ファンと、
前記吸気口から流入される空気の一部を前記複数のエアフィルタのうち、前記吸気口に近い側に位置する前側エアフィルタに導き、当該前側エアフィルタを通過させて前記冷却ファンに導く第１の空気路と、
前記空気の残部を、前記吸気口から遠い側に位置する後側エアフィルタに導き、当該後側エアフィルタを通過させて前記冷却ファンに導く第２の空気路と、を設けた
プロジェクタ装置。
【請求項２】
前記複数のエアフィルタを収納可能な開口部を有するホルダケースを設け、
前記開口部に前記複数のエアフィルタを収納した前記ホルダケースを、前記エアフィルタ収納部に着脱可能に装着した
請求項１記載のプロジェクタ装置。
【請求項３】
エアフィルタが装着されるフィルタホルダを複数設け、
複数のフィルタホルダを前記開口部に装着することにより複数のエアフィルタを前記ホルダケースに着脱可能に保持した
請求項２記載のプロジェクタ装置。
【請求項４】
前記ホルダケースに、前記冷却ファンの吸込み側に連通される連通口を設け、
前記エアフィルタ収納部内に収納された前記ホルダケースの前記連通口を設けた面と対向する面の外側又は前記対向する面と直交する面の外側に前記第２の空気路を設けた
請求項２記載のプロジェクタ装置。
【請求項５】
前記ホルダケースに、前記フィルタホルダを固定する弾性を有するロック片を設けた
請求項３記載のプロジェクタ装置。
【請求項６】
前記ホルダケースに、当該ホルダケースを前記エアフィルタ収納部に対して出し入れするための取手を設けると共に、挿入時に当該ホルダケースを前記エアフィルタ収納部内の所定位置に位置決めするための位置決め突部を設けた
請求項２記載のプロジェクタ装置。
【発明の詳細な説明】
【技術分野】
【０００１】
本発明は、液晶パネルやブラウン管等で作られた小型の表示装置の画像を、光学的に拡大して被投射面（スクリーン）に投射することで大画面を表示するプロジェクタ装置に関し、特に、装置内部を空気により冷却するプロジェクタ装置に関する。
【背景技術】
【０００２】
従来のプロジェクタ装置の第１の例としては、例えば、特許文献１に記載されているようなものがある。特許文献１には、光源からの光により原画を形成する画像形成素子を照明し、その画像形成素子からの光を被投射面に投射する画像投射装置に関するものが記載されている。画像投射装置は、塵埃除去フィルタを備えた吸気口を有する筐体と、吸気口を通じて筐体内に空気を吸い込むファンと、吸気口から吸い込まれた空気を、画像形成素子を包含する空間に導くダクトと、このダクトと吸気口との間に設けられた風洞室とを有している。そして、風洞室とダクトとの接続部におけるダクトへの空気の流入方向に直交する方向での風洞室の断面積が、接続部の断面積よりも大きいことを特徴としている。
【０００３】
また、従来のプロジェクタ装置の第２の例としては、例えば、特許文献２に記載されているようなものもある。特許文献２には、外装ケースに形成された空気取入口に、ファンにより吸収された空気から塵埃等を除去するための第１のフィルタが設けられたプロジェクタに関するものが記載されている。このプロジェクタは、第１のフィルタよりも広面積の第２のフィルタを有するフィルタユニットを、第１のフィルタの外側から空気取入口を覆うように外装ケースに着脱自在としたことを特徴としている。
【先行技術文献】
【特許文献】
【０００４】
【特許文献１】特開２００９−１７５４０４号公報
【特許文献２】特開２００４−１５７３４７号公報
【０００５】
しかしながら、従来のプロジェクタ装置では、吸気口のすぐ内側にエアフィルタを配置し、そのエアフィルタの内側に吸気ファンを配置する構成となっていた。そして、吸気口から吸気されるエアを、エアフィルタを介して吸気ファンで直接吸気し、装置内部にエアを送り込む構成となっていたため、エアフィルタの面積を吸気口の面積と同等の面積しか確保できなかった。その結果、装置筐体のスペースの制約上から吸気口の面積を拡大することができず、エアフィルタの面積を拡大するためには、装置筐体のサイズを拡大しなければならず、装置全体が大型化してしまうという問題があった。
【０００６】
この点に関して、特許文献１に記載された第１の従来例の場合には、装置筐体の内部を空気により冷却するために、光学系冷却ファンとランプ冷却ファンと電源冷却ファンとが設けられている。光学系冷却ファンは、液晶パネルや偏光板等の光学素子を冷却するためのもので、外装キャビネットに設けた吸気口にダクトを介して接続されている。ランプ冷却ファンは、光源ランプを冷却するためのものであり、ダクトを介して吸気口と接続されている。また、電源冷却ファンは、ＰＦＣ電源ユニットとバラスト電源ユニットを冷却するためのもので、同じくダクトを介して吸気口と接続されている。吸気口には、吸い込まれた空気から塵埃を除去する塵埃除去フィルタが設けられており、これにより塵埃の除去された空気が、ダクトを介して分配されて各冷却ファンに供給されるように構成されている。そのため、エアフィルタの面積を拡大するためには、装置筐体のサイズを拡大しなければならず、装置全体が大型化してしまうという同様の問題があった。
【０００７】
また、特許文献２に記載された第２の従来例の場合には、第１のフィルタよりも広い面積を有する第２のフィルタを、第１のフィルタの外側から空気取入口を覆うように配置する構成となっていた。そのため、第１の従来例の場合と同様に、エアフィルタの面積を拡大するためには、装置筐体のサイズを拡大しなければならず、装置全体が大型化してしまうという問題があった。
【発明の概要】
【発明が解決しようとする課題】
【０００８】
解決しようとする問題点は、従来のプロジェクタ装置では、吸気口のすぐ内側にエアフィルタを配置し、その内側に吸気ファンを配置して、吸気口から吸気されるエアを、エアフィルタを介して吸気ファンで直接吸気して装置内部に送り込む構成となっていた。そのため、エアフィルタの面積を吸気口の面積と同等の面積しか確保することができず、エアフィルタの面積を拡大するためには装置筐体のサイズを拡大しなければならず、装置全体が大型化してしまうことである。
【課題を解決するための手段】
【０００９】
本発明のプロジェクタ装置は、光源からの光により画像形成素子を照明して画像を被投射面に投射するプロジェクタ装置に関する。光源及び画像形成素子が収納された装置筐体と、その装置筐体に設けられると共に空気を取り入れる吸気口を有するエアフィルタ収納部と、複数のエアフィルタと冷却ファンと第１の空気路と第２の空気路を設ける。複数のエアフィルタは、吸気口の開口面積と同程度の広さを有すると共に、エアフィルタ収納部内に重なり合うように対向設置される。冷却ファンは、周囲の空気を吸引することにより吸気口から空気を流入させると共に、その空気を複数のエアフィルタに通過させた後光源や画像形成素子に吹き付けて放熱させる。第１の空気路は、吸気口から流入される空気の一部を複数のエアフィルタのうち、吸気口に近い側に位置する前側エアフィルタに導き、その前側エアフィルタを通過させて冷却ファンに導く。また、第２の空気路は、空気の残部を、吸気口から遠い側に位置する後側エアフィルタに導き、その後側エアフィルタを通過させて冷却ファンに導く。
【発明の効果】
【００１０】
本発明のプロジェクタ装置によれば、装置内部を冷却する空気を吸気するための吸気口の数や面積を増やすことなく、エアフィルタの面積を増やすことができる。そのため、装置全体が大型化されることなく、装置全体の小型化を維持したまま、面積が増大されたエアフィルタによって塵埃が取り除かれた大量の空気を冷却ファンに供給することができ、光源等の放熱効率を高めることができる。
【図面の簡単な説明】
【００１１】
【図１】本発明のプロジェクタ装置の実施の形態の例を示す分解斜視図である。
【図２】本発明のプロジェクタ装置の実施の形態の例を示す組立斜視図である。
【図３】本発明のプロジェクタ装置に用いて好適なエアフィルタユニットの実施の例を示す分解斜視図である。
【図４】本発明のプロジェクタ装置に用いて好適なエアフィルタユニットの実施の例を示す組立斜視図である。
【図５】図４の中央部を縦方向に断面した説明図である。
【図６】図１に示すプロジェクタ装置の一部を断面したもので、空気の流れ等を説明する説明図である。
【発明を実施するための形態】
【００１２】
吸気口の開口面積と同程度の面積（広さ）を有する複数のエアフィルタを、その吸気口の内側に重なり合うように対向設置すると共に、吸気口から流入される空気を第１の空気路と第２の空気路に分岐させて複数のエアフィルタに通過させる。これにより、吸気口の数や面積を増やすことなく、エアフィルタの面積を増大させて広範囲で塵埃を取り除くことができ、塵埃を除去した大量の空気を冷却ファンから光源等に供給することができるプロジェクタ装置を、比較的簡単な構成によって実現した。
【実施例】
【００１３】
図１及び図２は、本発明のプロジェクタ装置（画像投射装置）の実施の形態の一例を示すものである。このプロジェクタ装置１は、外装ケースを構成する装置筐体２を備えている。
【００１４】
装置筐体２は、上下に重ね合わされる上部筐体３及び下部筐体４と、上部筐体３に設けたエアフィルタ収納部５の開口部である吸気口９に着脱可能に装着される格子状カバー６とによって構成されている。上部筐体３と下部筐体４は、上下に重ね合わせた状態で、図示しない固定ねじによって締付固定されており、両筐体間に形成された空間部内に投射レンズユニット７や図示しない光源ユニット、光学ユニット、電源ユニット等が収納されている。
【００１５】
上部筐体３の正面部３ａには貫通穴８が設けられており、その貫通穴８を貫通する投射レンズユニット７の先端部が、正面部３ａから前方へ突出されている。投射レンズユニット７は、図示しない光源ユニットの光源からの光（画像）を、図示しないスクリーン（被投射面）に拡大して投射する。光源ユニットは、例えば、高圧水銀放電ランプ、ハロゲンランプ等の光源ランプを備えている。光学ユニットは、例えば、光源ランプからの光束を平行光束に変換する偏光変換素子と、平行光束を赤、緑、青の各色光束Ｒ、Ｇ、Ｂに分解して変調する画像形成素子としての３枚の液晶パネルと、変調された色光束を合成するプリズム合成体等を備えている。電源ユニットは、光源ユニットや光学ユニット等に電力を供給し、光源ランプを点灯制御すると共に、液晶パネルを駆動制御し、その他の装置・機器にも電力を供給し動作させて制御する。
【００１６】
上部筐体３の左側面部には、２個のエアフィルタユニット１０を着脱可能に装着することができる広さ（領域）を有するエアフィルタ収納部５が設けられている。このエアフィルタ収納部５の吸気口９に、格子状カバー６が着脱可能に装着されている。格子状カバー６は、比較的大きなゴミがエアフィルタ収納部５内に入り込むのを防止するもので、横方向に延在された複数の横桟６ａと、縦方向に延在された複数の縦桟６ｂとを有している。また、下部筐体４の左側面部には開口窓１１が設けられている。
【００１７】
エアフィルタユニット１０は、図３〜図５に示すような構成を有している。即ち、エアフィルタユニット１０は、ホルダケース１２と、２つのフィルタホルダ１４Ａ，１４Ｂと、２つのエアフィルタ１５Ａ，１５Ｂとによって構成されている。２つのフィルタホルダ１４Ａ，１４Ｂは、ホルダケース１２の両面に着脱可能に装着される。また、２つのエアフィルタ１５Ａ，１５Ｂは、２つのフィルタホルダ１４Ａ，１４Ｂに個別に装着される。
【００１８】
図３等に示すように、ホルダケース１２は、上面部１２ａと下面部１２ｂと左右の側面部１２ｃ、１２ｄとで四方を囲うように形成された直方体をなす型枠状の部材からなっている。従って、ホルダケース１２には、正面部から背面部まで貫通する直方体をなす空間部１６が設けられている。ホルダケース１２の正面側には、空間部１６の周縁を囲うように外側に展開された四角形の枠状をなす前フランジ部１２ｅが形成されている。また、ホルダケース１２の背面側には、同じく空間部１６の周縁を囲うように外側に展開された四角形の枠状をなす後フランジ部１２ｆが形成されている。
【００１９】
ホルダケース１２の前フランジ部１２ｅの上下方向に対向された二辺には、弾性を有する２つのロック片１７，１７が前方へ突出するようにそれぞれ設けられている。上下４つのロック片１７，１７は、上下及び左右の双方向に対称に配置されており、各ロック片１７の先端には内側に突出する爪部１７ａが設けられている。更に、前フランジ部１２ｅの左右方向（ホルダケース１２の長手方向）に対向された二辺には、ホルダケース１２を掴むための断面形状がＬ字状をなす取手１８がそれぞれ設けられている。
【００２０】
ホルダケース１２の後フランジ部１２ｆの上下方向に対向された二辺には、弾性を有する２つのロック片２１，２１が後方へ突出するようにそれぞれ設けられている。上下４つのロック片２１，２１は、上下及び左右の双方向に対称に配置されており、各ロック片２１の先端には内側に突出する爪部２１ａが設けられている。更に、後フランジ部１２ｆの四隅には、ロック片２１よりも大きく後方へ突出する空気路用凸部２２がそれぞれ設けられている。４つの空気路用凸部２２，２２は、エアフィルタ収納部５内に挿入されたエアフィルタユニット１０の位置決め機能も兼ね備えている。
【００２１】
即ち、装置筐体２の内部には、エアフィルタ収納部５の背面側を仕切る仕切り壁１９が設けられている。この仕切り壁１９に空気路用凸部２２が突き当たるまでエアフィルタユニット１０を差し込むことにより、エアフィルタユニット１０がエアフィルタ収納部５内の所定位置に位置決めされる。これと同時に、４つの空気路用凸部２２，２２の内側に、エアフィルタユニット１０の背面側に配置される後側エアフィルタ１５Ｂの正面に空気を導く第２の空気路が形成される。
【００２２】
２つのフィルタホルダ１４Ａ，１４Ｂは同一のものであり、上面部１４ａと下面部１４ｂと左右の側面部１４ｃ，１４ｄとで四方を囲うように形成された直方体をなす型枠状の部材からなっている。従って、各フィルタホルダ１４Ａ，１４Ｂには、正面部から背面部まで貫通する直方体をなす空間部が設けられている。２つのフィルタホルダ１４Ａ，１４Ｂは、ホルダケース１２の空間部１６に対して、前方及び後方からそれぞれ着脱可能に装着される。
【００２３】
また、各フィルタホルダ１４Ａ，１４Ｂの正面側には、空間部を縁取りするように内側及び外側にそれぞれ展開された四角形の枠状をなすフランジ部１４ｅが設けられている。フランジ部１４ｅの上下方向に対向された二辺には、前方に突出する２つの爪受け部２５，２５がそれぞれ設けられている。上下４つの爪受け部２５，２５は、上下及び左右の双方向に対称であって、４つのロック片１７，１７と対応する位置に配設されている。組立時、４つの爪受け部２５，２５は４つのロック片１７，１７の内側にそれぞれ配置されることになり、先端の爪部１７ａが爪受け部２５の先端にそれぞれ着脱可能に係合される
【００２４】
更に、各フィルタホルダ１４Ａ，１４Ｂのフランジ部１４ｅの上下方向（長手方向と直交する方向）に対向された二辺には、各フィルタホルダ１４Ａ，１４Ｂを掴むための断面形状がＬ字状をなす取手２６がそれぞれ設けられている。
【００２５】
このような構成を有する各フィルタホルダ１４Ａ，１４Ｂの空間部に、エアフィルタ１５Ａ，１５Ｂが装着されている。エアフィルタ１５Ａ，１５Ｂには、例えば、塵埃を吸着することができる不織布、ウレタンゴム等を用いることができる。しかしながら、エアフィルタの材料としては、これらに限定されるものではなく、静電フィルタ、その他各種のフィルタ材料を用いることができることは勿論である。
【００２６】
ホルダケース１２の下面部１２ｂには、冷却ファンへの空気の供給側となる連通口２８が設けられている。連通口２８は、下面部１２ｂにおいて、一方の側面部１２ｃから他方の側面部１２ｄまで達する連続した幅広の長穴として形成されており、その周囲には下方に突出する囲い枠２９が設けられている。
【００２７】
上部筐体３、下部筐体４、格子状カバー６、ホルダケース１２及びフィルタホルダ１４の材質としては、例えば、ＡＢＳ（アクリロニトリル・ブタジエン・スチレン樹脂）が好適である。しかしながら、これらの材質として、ＡＢＳに限定されるものではなく、例えば、ＰＯＭ（ポリアセタール）、その他のエンジニアリングプラスチックを適用することができる。更に、ステンレス鋼板やスチール鋼板、アルミニウム合金その他の金属を用いることもできる。
【００２８】
このような構成を有するエアフィルタユニット１０が着脱可能に装着されるエアフィルタ収納部５に臨む部位には、光源ランプや光学ユニット等を冷却するための冷却ファン３０が配設されている。冷却ファン３０としては、多数の羽根をもつ羽根車を回転させることにより、その回転中心側から空気を吸引して羽根の外側から接線方向に空気を吐出させるシロッコファンを用いている。この冷却ファン（シロッコファン）３０は、供給口３１を上方へ向けた状態でエアフィルタ収納部５の下面部に配置されている。
【００２９】
図６に示すように、冷却ファン３０は、その供給口３１を上方に向けた状態でベース部材３２に固定されており、そのベース部材３２が下部筐体４の凹部内に収納されて固定されている。エアフィルタ収納部５の所定位置にエアフィルタユニット１０を装着すると、連通口２８が冷却ファン３０の供給口３１に対向され、その供給口３１から吸引される空気が、冷却ファン３０の吐出口から吐出される。これにより、前後２箇所に対向するように配置された２つのエアフィルタ１５Ａ，１５Ｂを経て塵埃の除去された多量の空気が、冷却ファン３０により吸引され、光源ランプや光学ユニット等に吹き付けられる。
【００３０】
このエアフィルタユニット１０を通過する空気のうち、吸気口９に近い側に配置された前側エアフィルタ１５Ａに向かう空気は、その正面から前側エアフィルタ１５Ａを通過してホルダケース１２の空間部１６内に入り込む。そして、ホルダケース１２の下面部１２ｂに設けた連通口２８から冷却ファン３０の供給口３１に供給される。このときの空気の流路が、外気を冷却ファン３０に導く第１の空気路４１を構成している。
【００３１】
また、エアフィルタユニット１０を通過する空気のうち、吸気口９から遠い側に配置された後側エアフィルタ１５Ｂに向かう空気は、まず、ホルダケース１２の上方に形成された上流路スペース５ａ内に入り込む。この流路スペース５ａ内に入り込んだ空気は、更に奥側に移動して、ホルダケース１２の背面側に設けた４つの空気路用凸部２２，２２の間に形成された奥流路スペース５ｂ内に入り込む。そして、吸気口９から遠い側に配置された後側エアフィルタ１５Ｂの正面側に対向され、その後側エアフィルタ１５Ｂを通過してホルダケース１２の空間部１６内に入り込む。その後、ホルダケース１２の下面部１２ｂに設けた連通口２８から冷却ファン３０の供給口３１に供給される。このときの空気の流路が、外気を冷却ファン３０に導く第２の空気路４２を構成している。
【００３２】
このような構成を有するエアフィルタユニット１０は、例えば、次のようにして組み立てることができる。予め、エアフィルタ１５Ａ，１５Ｂを、２つのフィルタホルダ１４Ａ，１４Ｂに装着しておく。次に、ホルダケース１２の空間部１６の一方の開口部に前側フィルタホルダ１４Ａを臨ませ、フランジ部１４ｅの反対側から空間部１６内に挿入する。このとき、前側フィルタホルダ１４Ａをある位置まで挿入すると、ホルダケース１２の前フランジ部１２ｅに設けた４つのロック片１７の爪部１７ａの斜面部が、前側フィルタホルダ１４Ａのフランジ部１４ｅに設けた爪受け部２５の基部にそれぞれ当接される。
【００３３】
この場合、４つのロック片１７は、それぞれが適当な強さの弾性を有するため、前側フィルタホルダ１４Ａを適当な力で押圧することにより、４つのロック片１７は共に外側に弾性変形し、各爪部１７ａが爪受け部２５をそれぞれ乗り越える。これにより、前側フィルタホルダ１４Ａが、ホルダケース１２の一方の面（例えば、前面）に装着される。そして、爪受け部２５を乗り越えた爪部１７ａがその爪受け部２５の先端面に係合されるため、前側フィルタホルダ１４Ａがホルダケース１２にロックされ、その前側フィルタホルダ１４Ａの抜け出しが防止される。
【００３４】
この際、前側フィルタホルダ１４Ａの外面には多数の突条部２４が設けられているため、これら突条部２４によってホルダケース１２との間に生じているガタが吸収される。
【００３５】
同様に、ホルダケース１２の空間部１６の他方の開口部に後側フィルタホルダ１４Ｂを臨ませ、同じくフランジ部１４ｅの反対側から空間部１６内に挿入する。これにより、前側フィルタホルダ１４Ａの場合と同様にして、後側フィルタホルダ１４Ｂを、ホルダケース１２の他方の面（例えば、後面）に装着することができる。このとき、爪受け部２５を乗り越えた爪部２１ａが、その爪受け部２５の先端面に係合されるため、後側フィルタホルダ１４Ｂはホルダケース１２にロックされ、その後側フィルタホルダ１４Ｂの抜け出しが防止される。
【００３６】
この際、後側フィルタホルダ１４Ｂの外面には多数の突条部２４が設けられているため、これら突条部２４によってホルダケース１２との間に生じているガタが吸収される。
【００３７】
ホルダケース１２からフィルタホルダ１４Ａ，１４Ｂを取り出す場合には、各フィルタホルダ１４Ａ，１４Ｂにおいて、まず、４つのロック片１７によるフィルタホルダ１４Ａ，１４Ｂのロックを解除する。即ち、前側フィルタホルダ１４Ａにおいては、４つのロック片１７の爪部１７ａによる爪受け部２５の係合を解除する。また、後側フィルタホルダ１４Ｂにおいては、４つのロック片２１の爪部２１ａによる爪受け部２５の係合を解除する。次に、各フィルタホルダ１４Ａ，１４Ｂに設けた取手２６を掴み、空間部１６からフィルタホルダ１４Ａ（又は１４Ｂ）を引き出す。これにより、各フィルタホルダ１４Ａ，１４Ｂをホルダケース１２から簡単に分離することができる。
【００３８】
このようにフィルタホルダ１４Ａ，１４Ｂが着脱されるエアフィルタユニット１０の、プロジェクタ装置１のエアフィルタ収納部５に対する着脱作業は、例えば、次のように行うことができる。
【００３９】
まず、図１に示すように、装置筐体２の上部筐体３から格子状カバー６を取り外し、２組のエアフィルタユニット１０をエアフィルタ収納部５に臨ませる。そして、２組のエアフィルタユニット１０を、後側フィルタホルダ１４Ｂ側から挿入してエアフィルタ収納部５内に横並びに配置する。このとき、ホルダケース１２の空気路用凸部２２が仕切り壁１９に当接するまでエアフィルタユニット１０を差し込むことにより、エアフィルタ収納部５内の所定位置にエアフィルタユニット１０を自動的に位置決めすることができる。これにより、ホルダケース１２の連通口２８が、下部筐体４に保持されている冷却ファン３０の供給口３１に合致される。その後、エアフィルタ収納部５の吸気口９に格子状カバー６を嵌め込むことにより、エアフィルタユニット１０の組立作業が完了する。
【００４０】
一方、プロジェクタ装置１からエアフィルタユニット１０を取り出す場合は、上述した組立作業と逆の作業によって簡単に行うことができる。まず、エアフィルタ収納部５の吸気口９から格子状カバー６を取り外す。次に、ホルダケース１２に設けた２つの取手１８，１８を両手で掴み、エアフィルタユニット１０を水平方向側方に引き出すようにする。これにより、エアフィルタユニット１０をエアフィルタ収納部５から簡単に取り出すことができる。しかも、複数のエアフィルタを格納したホルダケース（カートリッジ）をエアフィルタ収納部５に対して出し入れするだけでエアフィルタの交換ができるため、エアフィルタの交換作業を極めて簡単且つ迅速に行うことができる。
【００４１】
上述したような構成を有する本願発明のプロジェクタ装置１によれば、冷却ファン３０を駆動すると、冷却ファン３０の吸引力によって供給口３１に臨むエアフィルタユニット１０側が負圧になる。この冷却ファン３０の駆動により発生する負圧は、ホルダケース１２の空間部１６を経てエアフィルタ収納部５内の全体に作用し、更に、吸気口９を経て装置筐体２の外部にまで作用する。その結果、吸気口９の外に存在する空気Ｅ１の一部が、吸気口９からエアフィルタ収納部５内に入り込み、その空気Ｅ１の一部が第１の空気路４１を通り、また、その空気の残部が第２の空気路４２を通って、いずれも供給口３１側に移動する。
【００４２】
即ち、図６に示すように、第１の空気路４１を通る空気Ｅ１の一部は、吸気口９を入って直ぐに、ホルダケース１２の吸気口９に近い側に保持されている前側エアフィルタ１５Ａを通過し、空間部１６に到達する。一方、第２の空気路４２を通る空気Ｅ１の残部は、吸気口９を入ってからホルダケース１２の上方に移動し、ホルダケース１２の上面とエアフィルタ収納部５の上面との間の流路スペース５ａを通過してホルダケース１２の背面側の流路スペース５ｂに移動する。そして、ホルダケース１２の吸気口９から遠い側に保持されている後側エアフィルタ１５Ｂを背面側から前面側に通過し、第２の空気路４２を通る空気も空間部１６に到達する。
【００４３】
これらエアフィルタ１５Ａ，１５Ｂを通過して塵埃の除去された空気Ｅ２が、空間部１６から連通口２８及び供給口３１を経て冷却ファン３０に供給され、装置筐体２の内部に送り込まれる。これにより、塵埃を除去した空気Ｅ２を大量に装置筐体２内に送り込み、光源ユニットや光学ユニット等を効率的に冷却することができる。
【００４４】
このように、本実施例によれば、２つのエアフィルタ１５Ａ，１５Ｂを所定間隔あけて重なり合うように対向設置すると共に、これらのエアフィルタ１５Ａ，１５Ｂに対して２つの空気路４１，４２を設けて個別に空気を通過させる構成とした。そのため、吸気口９の開口面積を増やすことなく、エアフィルタの面積を２倍に増やすことができ、空気から塵埃を除去する処理を２倍に増加することができる。これにより、エアフィルタ１５Ａ，１５Ｂに目詰まりが生ずる期間を長くすることができ、エアフィルタの交換頻度を少なくして保守点検管理を容易にすることができる。更に、塵埃の溜まり方が少なくなるため、吸気量の低下を抑制することができ、吸気量の低下による冷却不足に起因する電子部品の温度上昇を抑制し、電子部品の劣化を抑制することができる。
【００４５】
このように、装置筐体２のスペース上の制約から吸気口９の数や面積に制限がある場合においても、その数や面積を増やすことなく、エアフィルタ面積を増やすことができる。その結果、空気の塵埃処理量を増加させて空気の吸気量を増やすことができ、装置筐体２内に設置されている装置、機器に対して、限られたスペースにおいて効率的に冷却することができる。また、複数のエアフィルタをカートリッジ（ホルダケース）に格納し、カートリッジを装置筐体２に対して着脱することにより、エアフィルタをワンタッチ操作で交換することができる。そのため、エアフィルタの交換作業を簡単なものとして、メンテナンスを容易にすることができる。
【００４６】
更に、装置筐体２の内部に吸気エリア（流路スペース５ａ，５ｂ）を設けることにより、吸気口の直ぐ内側の場所以外にもエアフィルタを配置することができるようになった。そのため、従来のプロジェクタ装置に較べて、限られたセットスペースにおいてエアフィルタの面積を増やすことができるようになった。なお、この実施例では、エアフィルタ収納部５に収納されたエアフィルタユニット１０の上側に吸気エリア（流路スペース５ａ）を設けた例について説明したが、吸気エリア（流路スペース）は、エアフィルタユニット１０の側方に設ける構成としてもよい。
【００４７】
以上説明したが、本発明は前記実施例に限定されるものではなく、本発明の要旨を逸脱しない範囲内で各種の変形実施が可能である。例えば、前記実施例では、前側エアフィルタ１５Ａと後側エアフィルタ１５Ｂを同一のものを適用した例について説明したが、形状や大きさ、材質等が異なる別のものを適用できることは勿論である。更に、前記実施例では、２つのエアフィルタを用いた例について説明したが、３つ以上のエアフィルタを用いる構成とすることもできる。例えば、３つのエアフィルタを用いる場合には、所定間隔あけて重なり合うように配置すると共に、吸気エリアを２つに分岐して第２の空気路と第３の空気路を設け、３つの空気路を下流側で合流させるようにする。このように構成することによっても、空気から塵埃を除去する処理量を増加させて、空気の吸入量を増やすことができる。
【符号の説明】
【００４８】
１…プロジェクタ装置（画像投射装置）、  ２…装置筐体（外装ケース）、  ３…上部筐体、  ４…下部筐体、  ５…エアフィルタ収納部、  ５ａ，５ｂ…流路スペース、  ６…格子状カバー、  ９…吸気口（開口部）、  １０…エアフィルタユニット、  １２…ホルダケース、  １４，１４Ａ，１４Ｂ…フィルタホルダ、  １５，１５Ａ，１５Ｂ…エアフィルタ、  １６…空間部、  １７，２１…ロック片、  １７ａ，２１ａ…爪部、  １８…取手、  １９…仕切り壁、  ２２…空気路用凸部、  ２５…爪受け部、  ２６…取手、  ２８…連通口、  ３０…冷却ファン、  ３１…供給口、  ４１…第１の空気路、  ４２…第２の空気路、  Ｅ１，Ｅ２…空気
【図１】
0005402665.tif 000002
【図２】
0005402665.tif 000003
【図３】
0005402665.tif 000004
【図４】
0005402665.tif 000005
【図５】
0005402665.tif 000006
【図６】
0005402665.tif 000007